(57)【要約】【課題】ボイスコイルモータの暴走または外部からの衝撃により、ヘッド支持装置がクラッシュストップに当接したとき、ヘッドスライダと記録媒体との接触または衝突を防止し、記録媒体の表面を損傷する等の重大な故障の発生を防ぐヘッド支持装置を提供する。【解決手段】一端にヘッドスライダが配設され、他端にボイスコイル５が搭載されたアクチュエータサブユニット９と、一対のピボット１２ａおよび１２ｂを有するピボット軸受１２と、ヘッドスライダを記録媒体の表面方向に付勢する付勢力を有する板ばね部１０と、板ばね部１０の一端部分を固着したばね固定部材１１と、カラー１５と、ヘッドスライダの回動範囲を規制する当接部１６ａおよび１６ｂを有する回動規制当接部材１６とを、回動軸１９の周りに回動するベアリングが内蔵された軸受部１４とナット１７で挟持して構成されたヘッド支持装置１８である。【選択図】図１
2005267715.tif 000002
【特許請求の範囲】
【請求項１】
ヘッド支持アームの一方の端部に記録媒体に信号を記録再生するヘッドを搭載したヘッドスライダが配設されたヘッド支持アームユニットを有し、他方の端部にボイスコイルが搭載されたボイスコイル部を有するアクチュエータサブユニットと、
一対のピボットを有するピボット軸受と、
前記ヘッドスライダを前記記録媒体に接近する方向に付勢力を付与する弾性手段と、
基板に植設された回動軸の周りに回動可能な軸受部と、
２箇所に当接部を有する回動規制当接部材と、
を備え、
前記アクチュエータサブユニットに備わる前記ヘッド支持アームユニットは、前記回動軸の周りに前記記録媒体の半径方向に回動するとともに、前記回動軸の軸心に垂直な平面上にあり、かつ、前記アクチュエータサブユニットに備わる前記ヘッド支持アームユニットの長手方向の中心線に直交する線の周りに前記記録媒体の表面に垂直な方向に回動し、
前記回動規制当接部材は、前記アクチュエータサブユニットに備わる前記ヘッド支持アームユニットと連動して前記回動軸の周りに回動するとともに、前記記録媒体の表面に垂直な方向には回動せず、
前記回動規制当接部材の前記当接部によって前記回動軸周りの回動範囲を規制することを特徴とするヘッド支持装置。
【請求項２】
前記弾性手段が、前記ピボット軸受と前記アクチュエータサブユニットとの間に設けられた、かつ、板ばねであることを特徴とする請求項１に記載のヘッド支持装置。
【請求項３】
前記ヘッド支持アームユニットに備わるヘッド支持アームと、前記ボイスコイル部に備わるボイスコイルホルダが一体に形成された前記アクチュエータサブユニットであることを特徴とする請求項１または請求項２に記載のヘッド支持装置。
【請求項４】
前記ピボット軸受の一対の前記ピボットと前記アクチュエータサブユニットとが当接するそれぞれの当接点を結ぶ線の周りに前記アクチュエータサブユニットが前記記録媒体の垂直方向に回動可能に設けられていることを特徴とする請求項１から請求項３のいずれかに記載のヘッド支持装置。
【請求項５】
前記ピボット軸受の一対の前記ピボットが、前記ヘッド支持アームの長手方向の中心線に対して対称的な位置に設けられていることを特徴とする請求項１から請求項４のいずれかに記載のヘッド支持装置。
【請求項６】
前記ピボット軸受の一対の前記ピボットと前記アクチュエータサブユニットとが当接するそれぞれの当接点が、前記回動軸の軸心を通り、かつ、前記軸心に垂直な線上において、前記アクチュエータサブユニットに当接するように、前記ピボット軸受に一対の前記ピボットが設けられていることを特徴とする請求項１から請求項５のいずれかに記載のヘッド支持装置。
【請求項７】
前記アクチュエータサブユニットの重心が前記回動軸の軸心と略一致するように、質量および固着位置が設定されたバランサが前記アクチュエータサブユニットに設けられた構成を有することを特徴とする請求項１から請求項６のいずれかに記載のヘッド支持装置。
【請求項８】
前記バランサを前記アクチュエータサブユニットに固着する位置が、前記回動軸に対して前記ボイスコイル側の位置であることを特徴とする請求項７に記載のヘッド支持装置。
【請求項９】
前記バランサを前記アクチュエータサブユニットに固着する位置が、前記回動軸に対してヘッドスライダ側の位置であることを特徴とする請求項７に記載のヘッド支持装置。
【請求項１０】
前記回動規制当接部材は、前記回動軸の軸心方向に複数個の折り曲げ部を有することを特徴とする請求項１から請求項９のいずれかに記載のヘッド支持装置。
【請求項１１】
前記回動規制当接部材の２箇所の前記当接部のうちいずれか一方の前記当接部と、前記アクチュエータサブユニットに配設された前記ヘッドスライダとの位置関係が所定の位置関係を有するように調整するための調整手段を有することを特徴とする請求項１から請求項１０のいずれかに記載のヘッド支持装置。
【請求項１２】
前記所定の位置関係は、前記回動規制当接部材の２箇所の前記当接部のうちいずれか一方が基板またはそれに準ずる位置決めのための筐体に設けられたクラッシュストップに当接したとき、前記ヘッドスライダに搭載されたヘッドが記録媒体の記録可能領域近傍における記録媒体の内周側または外周側に対応した位置関係であることを特徴とする請求項１１に記載のヘッド支持装置。
【請求項１３】
前記調整手段は、前記アクチュエータサブユニットに備わるヘッド支持アームに設けられた取付位置設定穴と、前記軸受部の周りに回動可能な前記回動規制当接部材と、前記軸受部のねじ部に螺合するナットとからなることを特徴とする請求項１１に記載のヘッド支持装置。
【請求項１４】
前記筐体に対する位置決めのために、前記筐体に設けられた位置決め基準穴と前記ヘッド支持アームに設けられた前記取付位置設定穴に位置決め基準ピンを貫通させ、
前記ヘッド支持アームに対する位置関係を設定するために、前記回動規制当接部材の２箇所の前記当接部のうちいずれか一方を前記筐体に取り付けられたクラッシュストップに当接させ、
前記ヘッド支持アームと前記回動規制当接部材との位置関係を固定するために、前記ナットを締付けて位置決めされてなることを特徴とする請求項１２または請求項１３に記載のヘッド支持装置。
【請求項１５】
基板に植設された回動軸の周りに回動可能な軸受部と、
取付位置設定穴が設けられたヘッド支持アームの一方の端部に記録媒体に信号を記録再生するヘッドを搭載したヘッドスライダが配設されたヘッド支持アームユニットを有し、他方の端部にボイスコイルが搭載されたボイスコイル部を有するアクチュエータサブユニットと、
前記軸受部の周りに回動可能で、かつ、２箇所に当接部を有する回動規制当接部材と、
を備えるヘッド支持装置において、
筐体に設けられた位置決め基準穴と前記ヘッド支持アームに設けられた前記取付位置設定穴に位置決め基準ピンを貫通させる第１の工程と、
前記ヘッド支持アームに対する位置関係を設定するために、前記回動規制当接部材の２箇所の前記当接部のうちいずれか一方を前記筐体に取り付けられたクラッシュストップに当接させる第２の工程と、
前記ヘッド支持アームと前記回動規制当接部材との位置関係を固定する第３の工程と、
を有する調整工程によって、前記アクチュエータサブユニットと前記回動規制当接部材とを所定の位置関係を有するように位置決めすることを特徴とするヘッド支持装置の組立調整方法。
【請求項１６】
請求項１から請求項１４のいずれかに記載のヘッド支持装置と、
基板に取り付けられたスピンドルモータに配設された記録媒体と、
前記ヘッド支持装置の回動範囲を規制するための基板に設けられた２個のクラッシュストップと、
を備えた構成を有することを特徴とするディスク装置。
【請求項１７】
基板に取り付けられたスピンドルモータに配設された記録媒体と、
前記基板に植設された回動軸の周りに回動可能な軸受部と、取付位置設定穴が設けられたヘッド支持アームの一方の端部に記録媒体に信号を記録再生するヘッドを搭載したヘッドスライダが配設されたヘッド支持アームユニットを有し、他方の端部にボイスコイルが搭載されたボイスコイル部を有するアクチュエータサブユニットと、前記軸受部の周りに回動可能で、かつ、２箇所に当接部を有する回動規制当接部材とからなるヘッド支持装置と、
前記ヘッド支持装置の回動範囲を規制するために設けられた２個のクラッシュストップと、
を備え、
前記ヘッド支持装置は、筐体に設けられた位置決め基準穴と前記ヘッド支持アームに設けられた前記取付位置設定穴に位置決め基準ピンを貫通させ、前記回動規制当接部材の２箇所の前記当接部のうちいずれか一方を前記筐体に取り付けられたクラッシュストップに当接させ、前記ヘッド支持アームと前記回動規制当接部材との位置関係を固定して、前記アクチュエータサブユニットと前記回動規制当接部材とが所定の位置関係を有するように位置決めされてなることを特徴とするディスク装置。
【発明の詳細な説明】
【技術分野】
【０００１】
本発明は、浮上型のヘッドを有するディスク装置、例えば磁気ディスク装置、光ディスク装置、光磁気ディスク装置等に用いられるヘッド支持装置とその組立調整方法、およびそれを用いたディスク装置に関する。
【背景技術】
【０００２】
以下、従来の浮上型の磁気ヘッドを有するディスク装置のヘッド支持機構の一例として、ハードディスク装置等の磁気ディスク装置におけるヘッド支持装置について、図面を用いて説明する。
【０００３】
図１２は従来のディスク装置における主要部の構成を示す斜視図である。図１２において、ヘッド支持装置１２１は、比較的剛性の低いサスペンション（支持アーム、またはヘッド支持アームとも言う）１２２、板ばね部１２３および比較的剛性の高いベースアーム（キャリッジアームとも言う）１２４からなり、サスペンション１２２の一端の下面には磁気ヘッド（図示せず）を搭載したスライダ１２５が設けられている。
【０００４】
また、磁気記録媒体１２６はスピンドルモータ１２７によって回転するように構成されており、磁気ディスク装置の記録再生時には、磁気記録媒体１２６の回転に伴って発生する空気流によるスライダ１２５が受ける浮揚力と、スライダ１２５を磁気記録媒体１２６側へ付勢するヘッド支持装置１２１の板ばね部１２３による付勢力（ロード荷重）との釣り合い関係から、スライダ１２５、すなわちスライダ１２５に搭載された磁気ヘッドは磁気記録媒体１２６から一定量浮上するように構成されている。
【０００５】
ヘッド支持装置１２１は、磁気ディスク装置の記録または再生時には、ベ−スアーム１２４に設けられたボイスコイル１２８によって、軸受部１２９を中心として回動させられ、スライダ１２５に搭載された磁気ヘッドが磁気記録媒体１２６の希望するトラックに対して位置決めされて、記録または再生を行うように構成されている。そして、磁気ディスク装置の停止時には、ヘッド支持装置１２１が軸受部１２９を中心にして回動し、磁気記録媒体１２６の外側に移動する。このとき、磁気記録媒体１２６の外側には、磁気ヘッド保持部１３０が設けられており、支持アーム１２２に支持されたスライダ１２５をそのテーパ部１３０ａ上に乗り上げさせることにより、スライダ１２５および磁気ヘッドと磁気記録媒体１２６との吸着を防ぐ構成になっている（例えば、特許文献１参照）。
【０００６】
また、磁気ディスク装置の動作中に、ボイスコイル１２８とそれに対向して設けられた永久磁石（図示せず）によって構成されるボイスコイルモータが暴走したり、過激な振動、衝撃等を受けたりしたことによって、ヘッド支持装置１２１がロード方向、アンロード方向に過度に揺動しようとしたときに、ヘッド支持装置１２１、スピンドルモータ１２７や磁気ディスク装置の他の部位に損傷を与えるようなことがないように、ヘッド支持装置１２１の過度の揺動を強制的に停止させ、ヘッド支持装置１２１がスピンドルモータ１２７や磁気ディスク装置の他の部位に衝突することを防止する必要がある。したがって、図１２に示すように、ベースアーム１２４のコイルアーム部（コイルホルダとも言う）１２４ａがクラッシュストップ１３１ａまたは１３１ｂに当接するように、クラッシュストップ１３１ａおよび１３１ｂがヘッド支持装置１２１のロード方向とアンロード方向の両方向に対応して配設さていれる（例えば、特許文献２〜特許文献５参照）。
【０００７】
さらに、図１３を用いて、ヘッド支持装置１２１の構成および作用について説明する。図１３は、従来のディスク装置におけるヘッド支持装置の構成と作用を示す要部斜視図であって、図１２のヘッド支持装置１２１における磁気ヘッドが設けられた部分を示している。
【０００８】
図１３において、磁気ヘッド（図示せず）は、支持アーム１２２の一端の下面側に設けられたスライダ１２５の磁気記録媒体（図示せず）との対向面に設けられている。一方、支持アーム１２２の他端が折り曲げられて板ばね部１２３が構成され、板ばね部１２３がベースアーム１２４に係止されている。磁気記録媒体の上下動（面振れ等による）や、量産時のスライダ１２５と磁気記録媒体との間の距離の製造ばらつき等によるスライダ１２５の磁気記録媒体への荷重が変化することを防ぐために、板ばね部１２３には切り欠き部１３２が設けられ、板ばね部１２３の剛性を下げるとともに、ばね定数を小さくして、柔軟性を持たせるような構成となっている。一方、磁気ヘッドを搭載したスライダ１２５を安定して浮上させるために、スライダ１２５に必要とする荷重をかけるに充分な反力を板ばね部１２３が有することが必要であり、ヘッド支持装置１２１に対して相反する要件を満たすことが要求される。
【０００９】
近年、磁気ディスク装置の小型化、薄型化が進化することによって、携帯使用に供される機会が増大し、過激な振動や落下、衝突等による過度の衝撃を受ける機会が増加してきた。このような外部からの強い衝撃を受けたときには、磁気記録媒体の回転によって発生する空気流によるスライダ部分での浮揚力と、スライダを磁気記録媒体側へ付勢するヘッド支持装置による付勢力とのバランスが崩れ、スライダが磁気記録媒体から跳躍するような現象が発生して、スライダが磁気記録媒体に衝突し、磁気記録媒体またはスライダに搭載された磁気ヘッドに磁気的損傷または機械的損傷を与える可能性がある。そのため、スライダへのロード荷重を大きく、柔軟性を高く、さらに構造体の剛性を高くしたい、という相反する要求を満たし、かつ、耐衝撃性の強い自己バランス式ヘッド支持装置が提案されている（例えば、特許文献６参照）。
【００１０】
自己バランス式ヘッド支持装置について、図面を用いて以下に簡単に説明する。
【００１１】
図１４は従来の自己バランス式ヘッド支持装置の主要部の概略構成を示す側面図である。図１４において、下面に磁気ヘッド（図示せず）を設けたスライダ１４１を一端の下面に搭載した支持アーム１４２が、他端側において板ばね部１４３の一端側部分と止着されており、板ばね部１４３の他端側部分はばね固定部材１４４を介してピボット軸受１４５と止着されている。これによって、支持アーム１４２はピボット軸受１４５に板ばね部１４３を介して弾性的に保持された状態となる。
【００１２】
また、ピボット軸受１４５には一対の頂部１４５ａ、頂部１４５ｂ（頂部１４５ｂは図示せず）が設けられており、その頂部１４５ａ、頂部１４５ｂが支持アーム１４２に対し、それぞれ当接点Ｐａ、当接点Ｐｂ（当接点Ｐｂは図示せず）において当接し、板ばね部１４３の弾性力によって支持アーム１４２の一端側が磁気記録媒体１４６方向へ付勢され、このとき、当接点Ｐａ、当接点Ｐｂには圧縮応力が発生する。なお、ピボット軸受１４５の各頂部１４５ａ、１４５ｂは、支持アーム１４２が磁気記録媒体１４６の半径方向に回動する際の回動中心軸方向および支持アーム１４２の長手方向に対して垂直で、その回動中心軸を通る線上において支持アーム１４２と当接するように設けられている。
【００１３】
また、板ばね部１４３によって保持された部分の重心位置、例えばボイスコイルモータによって回動を行う場合には、ボイスコイル（図示せず）とコイルホルダ（図示せず）とを装着した状態での支持アーム１４２の重心位置を、支持アーム１４２の半径方向の回動軸（図示せず）と磁気記録媒体１４６の記録面に対して垂直方向の回動軸との交点と同一、すなわち支持アーム１４２とピボット軸受１４５の頂部１４５ａおよび１４５ｂとが当接する当接点ＰａおよびＰｂを結ぶ線上の中点Ｐ（図示せず）と実質的に同じ位置となるようにヘッド支持装置を設計することにより、外部からの衝撃に対して耐衝撃性が強く安定した自己バランス式ヘッド支持装置の構成が可能になる。
【００１４】
このような自己バランス式ヘッド支持装置を上述の図１２におけるヘッド支持装置１２１に置き換えて用いることができ、ロード方向とアンロード方向の両方向に対応して配設されたそれぞれのクラッシュストップ（図示せず）によって、ヘッド支持装置の回動範囲を規制している。
【特許文献１】特許第３３７４８４６号公報（第２頁、第８図および第４頁、第５頁、第１図）
【特許文献２】特開平５−１５９５０４号公報（第２頁、第１図）
【特許文献３】特許第２６３４３６７号公報（第４頁、第１図）
【特許文献４】特許第２９４４３６０号公報（第３頁、第１図）
【特許文献５】特開平５−３０２０２７号公報（第２頁、第３図）
【特許文献６】特開２００２−１９０１７１号公報（第１５頁、第１９図）
【発明の開示】
【発明が解決しようとする課題】
【００１５】
しかしながら上記の従来構成の自己バランス式ヘッド支持装置とクラッシュストップの組合わせでは、板ばね部を介してスライダが配設されたベースアームとコイルホルダとが一体になるように構成されているため、クラッシュストップとコイルホルダが当接したとき、クラッシュストップに対し、コイルホルダが押圧されて摩擦力により、磁気記録媒体に垂直な方向のコイルホルダ、すなわち支持アームの移動が阻止されることになる。一方、磁気記録媒体の回転によるスライダの浮上量は１０〜数十ｎｍであり、磁気記録媒体の回転周方向の面振れは２〜３μｍもあり、したがって、クラッシュストップにコイルホルダが当接したときに磁気記録媒体面に垂直な方向に支持アームが回動できないことによって、支持アームに配設されたスライダが磁気記録媒体に接触することになり、磁気記録媒体の表面を損傷したり、スライダに搭載された磁気ヘッドを損傷する恐れがあり、磁気ディスク装置としての信頼性に悪影響を与えるという課題があった。
【００１６】
また、クラッシュストップは基板に植設されており、ヘッド支持装置は基板に植設された回動軸の周りに回動するように軸受を介して回動軸に取り付けられているため、クラッシュストップにコイルホルダが当接したとき、磁気記録媒体に対向するスライダの位置精度が製造ばらつきの影響を受けることになる。そのため、スライダの位置精度に対する製造ばらつきの影響を考慮して磁気記録媒体上の記録可能領域を小さく設定する必要があり、記録可能領域を大きくすることに反し、解決すべき課題となっていた。
【００１７】
本発明は、上記の課題を解決し、非常に簡単な構成で、非常に高い耐衝撃性を有し、クラッシュストップにヘッド支持装置が当接したとき、スライダが磁気記録媒体に接触または衝突して磁気記録媒体の表面を損傷したり、スライダに搭載された磁気ヘッドを損傷するようなことのない自己バランス式ヘッド支持装置を提供し、さらに、そのようなヘッド支持装置を用いて、記録可能領域を拡大することができる組立調整方法を提供し、また、それを備えたディスク装置を提供することを目的とする。
【課題を解決するための手段】
【００１８】
この目的を達成するために本発明のヘッド支持装置は、ヘッド支持アームの一方の端部に記録媒体に信号を記録再生するヘッドを搭載したヘッドスライダが配設されたヘッド支持アームユニットを有し、他方の端部にボイスコイルが搭載されたボイスコイル部を有するアクチュエータサブユニットと、一対のピボットを有するピボット軸受と、ヘッドスライダを記録媒体に接近する方向に付勢力を付与する弾性手段と、基板に植設された回動軸の周りに回動可能な軸受部と、２箇所に当接部を有する回動規制当接部材とを備え、アクチュエータサブユニットに備わるヘッド支持アームユニットは、回動軸の周りに記録媒体の半径方向に回動するとともに、回動軸の軸心に垂直な平面上にあり、かつ、アクチュエータサブユニットに備わるヘッド支持アームユニットの長手方向の中心線に直交する線の周りに記録媒体の表面に垂直な方向に回動し、回動規制当接部材がアクチュエータサブユニットに備わるヘッド支持アームユニットと連動して回動軸の周りに回動するとともに、記録媒体の表面に垂直な方向には回動せず、回動規制当接部材の当接部によって回動軸周りの回動範囲を規制する構成を有している。さらに、その弾性手段が、ピボット軸受とアクチュエータサブユニットとの間に設けられ、かつ、板ばねである構成を有している。また、ヘッド支持アームユニットに備わるヘッド支持アームと、ボイスコイル部に備わるボイスコイルホルダが一体に形成されたアクチュエータサブユニットであるようにした構成であってもよい。
【００１９】
これらの構成によって、アクチュエータサブユニットと弾性手段である板ばねとをそれぞれ独立して設定することができるため、アクチュエータサブユニットの剛性を高めるとともに、弾性手段によるヘッドスライダへの付勢力を任意に設定することができるため、非常に耐衝撃性を高く、かつ、共振周波数を高くすることができるため、高い応答性を有し、高速アクセスが可能なヘッド支持装置を形成することができ、さらに、ボイスコイルモータが暴走したり、過激な振動または衝撃等を受けてヘッド支持装置がロード方向、アンロード方向に過度に揺動しようとしたとき、ヘッド支持装置の回動規制当接部材の当接部が２個のクラッシュストップのいずれか一方に当接することになるため、ヘッド支持装置のアクチュエータサブユニットの記録媒体の表面に垂直な方向への回動は可能であり、記録媒体の回転に伴う記録媒体の表面の面振れが存在したとしても、アクチュエータサブユニットの一端に設けられたヘッドスライダは記録媒体から微小な隙間を有して浮上することができ、記録媒体とヘッドスライダは接触または衝突することがなく、記録媒体とヘッドスライダに重大な損傷を与えるようなことがなく、非常に耐衝撃性が高く、信頼性の高い優れたヘッド支持装置を実現することができる。
【００２０】
また、本発明のヘッド支持装置は、ピボット軸受の一対のピボットとアクチュエータサブユニットとが当接するそれぞれの当接点を結ぶ線の周りにアクチュエータサブユニットが記録媒体の垂直方向に回動可能に設けられている構成を有している。
【００２１】
この構成によって、簡易な構成でヘッド支持装置を記録媒体に垂直な方向に回動するための回動中心を正確に決めることができるため、より正確にヘッドの位置決め制御を可能にするヘッド支持装置を実現することができる。
【００２２】
また、本発明のヘッド支持装置は、ピボット軸受の一対のピボットが、ヘッド支持アームの長手方向の中心線に対して対称的な位置に設けられている構成を有している。また、ピボット軸受の一対のピボットとアクチュエータサブユニットとが当接するそれぞれの当接点が、回動軸の軸心を通り、かつ、軸心に垂直な線上において、アクチュエータサブユニットに当接するように、ピボット軸受に一対のピボットを設けられている構成を有している。
【００２３】
これらの構成によって、ヘッド支持装置のアクチュエータサブユニットの幅方向および長手方向の重量バランスがよく、ヘッド支持装置の耐衝撃性を向上させるという効果を得ることができる。
【００２４】
また、本発明のヘッド支持装置は、アクチュエータサブユニットの重心が回動軸の軸心と略一致するように、質量および固着位置が設定されたバランサがアクチュエータサブユニットに設けられた構成を有している。さらに、バランサをアクチュエータサブユニットに固着する位置が、回動軸に対してボイスコイル側の位置であるようにした構成、または、バランサをアクチュエータサブユニットに固着する位置が、回動軸に対してヘッドスライダ側の位置である構成を有している。
【００２５】
これらの構成によって、外部からの衝撃等を受けた場合にも、ヘッド支持装置の不要な振動等を抑止するという効果を得ることができる。
【００２６】
また、本発明のヘッド支持装置は、回動規制当接部材が回動軸の軸心方向に複数個の折り曲げ部を有するようにした構成を有している。
【００２７】
この構成によって、ヘッドおよびボイスコイルとディスク装置に配設された電気回路とを繋ぐ信号配線を中継、保持することができるように構成し、ヘッド支持装置の回動に伴う信号配線の屈曲運動による反力が、ヘッド支持装置の回動に悪影響をおよぼさないようにしたヘッド支持装置を実現することができる。
【００２８】
また、本発明のヘッド支持装置は、回動規制当接部材の２箇所の当接部のうちいずれか一方の当接部と、アクチュエータサブユニットに配設されたヘッドスライダとの位置関係が所定の位置関係を有するように調整するための調整手段を有する構成を有している。また、所定の位置関係が、回動規制当接部材の２箇所の当接部のうちいずれか一方が基板またはそれに準ずる位置決めのための筐体に設けられたクラッシュストップに当接したとき、ヘッドスライダに搭載されたヘッドが記録媒体の記録可能領域近傍における記録媒体の内周側または外周側に対応した位置関係であるようにした構成、また、調整手段が、アクチュエータサブユニットに備わるヘッド支持アームに設けられた取付位置設定穴と、軸受部の周りに回動可能な回動規制当接部材と、軸受部のねじ部に螺合するナットとからなる構成、さらに、筐体に対する位置決めのために、筐体に設けられた位置決め基準穴とヘッド支持アームに設けられた取付位置設定穴に位置決め基準ピンを貫通させ、ヘッド支持アームに対する位置関係を設定するために、回動規制当接部材の２箇所の当接部のうちいずれか一方を筐体に取り付けられたクラッシュストップに当接させ、ヘッド支持アームと回動規制当接部材との位置関係を固定するために、ナットを締付けて位置決めされてなる構成を有している。
【００２９】
これらの構成によって、ヘッド支持装置を構成する各部材の部品精度のばらつきおよび組立に伴うばらつき等によって生じるヘッド支持アームと回動規制当接部材との位置関係に対する製造ばらつきを吸収することができ、したがって、回動規制当接部材の当接部がクラッシュストップに当接したときのヘッド支持アームに搭載されたヘッドの磁気記録媒体に対応する位置のばらつきを小さく抑えることができるため、記録媒体の記録可能領域を拡大することができ、ディスク装置としての記録容量の増大を図ることができるヘッド支持装置を実現することができる。
【００３０】
また、上記目的を達成するために、本発明のヘッド支持装置の組立調整方法は、基板に植設された回動軸の周りに回動可能な軸受部と、取付位置設定穴が設けられたヘッド支持アームの一方の端部に記録媒体に信号を記録再生するヘッドを搭載したヘッドスライダが配設されたヘッド支持アームユニットを有し、他方の端部にボイスコイルが搭載されたボイスコイル部とを有するアクチュエータサブユニットと、軸受部の周りに回動可能で、かつ、２箇所に当接部を有する回動規制当接部材とを備えるヘッド支持装置において、筐体に設けられた位置決め基準穴とヘッド支持アームに設けられた取付位置設定穴に位置決め基準ピンを貫通させる第１の工程と、ヘッド支持アームに対する位置関係を設定するために、回動規制当接部材の２箇所の当接部のうちいずれか一方を筐体に取り付けられたクラッシュストップに当接させる第２の工程と、ヘッド支持アームと回動規制当接部材との位置関係を固定する第３の工程とを有する調整工程によって、アクチュエータサブユニットと回動規制当接部材とを所定の位置関係を有するように位置決めする調整方法である。
【００３１】
この方法によって、ヘッド支持装置を構成する各部材の部品精度のばらつきおよび組立によるばらつき等によって生じるヘッド支持アームと回動規制当接部材との位置関係に対する製造ばらつきを吸収することができ、したがって、回動規制当接部材の当接部がクラッシュストップに当接したときのヘッド支持アームに搭載されたヘッドの磁気記録媒体に対応する位置のばらつきを小さく抑えることができるため、記録媒体の記録可能領域を拡大することができ、ディスク装置の記録容量の増大を図ることができる。
【００３２】
また、上記目的を達成するために、本発明のディスク装置は、請求項１から請求項１４のいずれかに記載のヘッド支持装置と、基板に取り付けられたスピンドルモータに配設された記録媒体と、ヘッド支持装置の回動範囲を規制するための基板に設けられた２個のクラッシュストップとを備えた構成を有している。また。基板に取り付けられたスピンドルモータに配設された記録媒体と、基板に植設された回動軸の周りに回動可能な軸受部と、取付位置設定穴が設けられたヘッド支持アームの一方の端部に記録媒体に信号を記録再生するヘッドを搭載したヘッドスライダが配設されたヘッド支持アームユニットを有し、他方の端部にボイスコイルが搭載されたボイスコイル部を有するアクチュエータサブユニットと、軸受部の周りに回動可能で、かつ、２箇所に当接部を有する回動規制当接部材とからなるヘッド支持装置と、ヘッド支持装置の回動範囲を規制するために設けられた２個のクラッシュストップとを備え、ヘッド支持装置は、筐体に設けられた位置決め基準穴とヘッド支持アームに設けられた取付位置設定穴に位置決め基準ピンを貫通させ、回動規制当接部材の２箇所の当接部のうちいずれか一方を筐体に取り付けられたクラッシュストップに当接させ、ヘッド支持アームと回動規制当接部材との位置関係を固定して、アクチュエータサブユニットと回動規制当接部材とが所定の位置関係を有するように位置決めされてなる構成を有することもできる。
【００３３】
これらの構成によって、ヘッド支持装置のヘッド支持アーム部分を高剛性部材で形成することができ、かつ、弾性手段のスライダへの付勢力を任意に設定することができるため、外部からの大きな衝撃等に対する耐衝撃性が向上するとともに、ヘッド支持アームの共振周波数を高くすることができ、高速で回動および位置決めすることができ、また、回動軸に対するアクチュエータサブユニットの重心位置を回動軸の軸心に一致するようになされたヘッド支持装置を備えた構成となっており、外部からの大きな衝撃等に対してヘッドスライダが記録媒体の表面に衝突して、ヘッドスライダに搭載されたヘッドや記録媒体に損傷を生じることがない。さらに、ヘッド支持装置に備わる回動規制当接部材がクラッシュストップに当接したとき、アクチュエータサブユニットが独立して記録媒体の表面に垂直な方向に回動することができるため、ヘッドスライダが記録媒体上を浮上することができ、ヘッドスライダが接触または衝突するようなことがなく、耐衝撃性が非常に高く、高信頼性を有し、また、高い応答特性および高速アクセスを有する優れたディスク装置を実現することが可能である。
【発明の効果】
【００３４】
本発明のヘッド支持装置は、２個のピボットを有するピボット軸受と、一端にジンバル機構を介してヘッドスライダが取り付けられ、他端にボイスコイルとバランサが固着されたアクチュエータサブユニットとを、ピボット軸受の２個のピボットがアクチュエータサブユニットに当接するように、かつ、ピボット軸受の２個のピボットとアクチュエータサブユニットの上面とのそれぞれの当接点を結ぶ線を支点としてアクチュエータサブユニットのヘッドスライド側を下方（記録媒体の表面側）に押し下げる応力が作用するようにして、ばね固定部材に固着された２段に折り曲げられた弾性手段である板ばね部で弾性的に接続して、アクチュエータアームを構成し、そのアクチュエータアームがカラーと２箇所の当接部を有する回動規制当接部とともに中空つば付の円筒形状の軸受部のフランジとナットによって挟持されたヘッド支持装置の構成を有している。さらに、ピボット軸受の２個のピボットとアクチュエータサブユニットの上面とのそれぞれの当接点を結ぶ線が、ヘッド支持装置の記録媒体の半径方向への回動軸の軸心を通り、それぞれの当接点がヘッド支持装置の回動軸の軸心に対してお互いに対称的な位置になるようにピボット軸受の２個のピボットが形成され、かつ、アクチュエータサブユニットの重心がピボット軸受の２個のピボットのそれぞれの当接点を結ぶ線の中点にあるように、アクチュエータサブユニットに固着されるバランサを設定したヘッド支持装置構成を有している。
【００３５】
このようなヘッド支持装置構成とすることによって、アクチュエータアームを構成するアクチュエータサブユニットと、ロード荷重として記録媒体の表面方向にヘッドスライダを搭載したアクチュエータサブユニットを付勢する弾性手段である板ばね部とが別個の部材で構成されているため、アクチュエータサブユニットを構成するヘッド支持アームを剛性の高い材料で形成することができ、外部からの大きな衝撃等に対する耐衝撃性を向上させるとともに、アクチュエータサブユニットの共振周波数を高くすることができ、さらに、ヘッド支持装置に組み込まれたヘッドスライダに対するロード荷重を大きくすることができ、動作中における外部からの振動または衝撃に対して高い耐衝撃性を有し、さらに、非常に高いアクセス速度を有する非常に優れたヘッド支持装置を実現することができる。
【００３６】
また、ボイスコイルモータが暴走したり、過激な振動または衝撃等を受け、ヘッド支持装置がロード方向またはアンロード方向に過度に揺動して、ヘッド支持装置を構成する回動規制当接部材がクラッシュストップに当接してヘッド支持装置の過度の揺動を強制的に停止させたときに、アクチュエータサブユニットがピボット軸受の一対のピボットの当接点を支点として記録媒体の表面に垂直な方向に回動することができ、記録媒体の回転に伴う空気流によってヘッド支持アームに搭載されたヘッドスライダは浮上することができ、記録媒体とヘッドスライダが接触または衝突することがなく、記録媒体とヘッドスライダに重大な損傷を与えることがなく、耐衝撃性が強く、信頼性の高いヘッド支持装置を実現することができるという効果を有している。
【００３７】
また、回動規制当接部材に設けられた２箇所の当接部のいずれか一方の当接部が２個のクラッシュストップのうちのその一方の当接部に対応するクラッシュストップに当接したときに、ヘッドを記録媒体の記録可能領域近傍における記録媒体の内周側または外周側に対応した位置となるように、ヘッド支持装置を構成する回動規制当接部材とヘッドスライダを搭載したアクチュエータサブユニットとの位置関係を調整したヘッド支持装置構成を有している。
【００３８】
このようなヘッド支持装置構成とすることによって、ヘッド支持装置を構成する各部材の部品精度のばらつきおよび組立によるばらつき等によって生じるヘッド支持アームと回動規制当接部材との位置関係に対する製造ばらつきを吸収することができ、ヘッド支持装置がクラッシュストップに当接したときの記録媒体に対するヘッドの位置の製造ばらつきを抑えることができるため、記録媒体の記録可能領域の増大を図り得るヘッド支持装置を実現することができるという効果を得る。
【００３９】
また、このような構成を有するヘッド支持装置をディスク装置に備えることによって、非常に高い耐衝撃性を有した信頼性の高い優れたディスク装置を実現することができる。
【発明を実施するための最良の形態】
【００４０】
以下、本発明の実施の形態について、図面を用いて説明する。
【００４１】
（実施の形態）
図１〜図８は本発明の実施の形態におけるヘッド支持装置およびそれを備えたディスク装置を説明するための図である。図１は本発明の実施の形態におけるヘッド支持装置の構成を示す分解斜視図、図２は図１におけるヘッド支持装置のＡ部の分解斜視図、図３は本発明の実施の形態におけるヘッド支持装置の回動軸近傍の部分側面図、図４は本発明の実施の形態におけるヘッド支持装置を構成する回動規制当接部材の他の一例を示す斜視図、図５は本発明の実施の形態のヘッド支持装置を構成する回動規制当接部材の他の一例における信号配線の保持方法を示す斜視図、図６は本発明の実施の形態におけるヘッド支持装置の動作原理を説明するための側面図、図７は本発明の実施の形態におけるヘッド支持装置の動作原理を説明するための主要部の平面図、図８は本発明の実施の形態におけるディスク装置の主要部の平面図である。
【００４２】
以下、ディスク装置として磁気ディスク装置を例にとって説明する。
【００４３】
図１、図２および図３において、一方の端部にタブ部１ａおよび他方に穴部１ｂを有するヘッド支持アーム１に、ジンバル機構２を介して磁気ヘッド（図示せず）を搭載したヘッドスライダ３を配設して、ヘッド支持アームユニット４を構成している。なお、ヘッドスライダ３の中心部分近傍に当接するようにディンプル１ｃをヘッド支持アーム１の下面に設けて、ジンバル機構２を介してヘッドスライダ３を取り付けたとき、そのディンプル１ｃがジンバル機構２またはヘッドスライダ３の上面（磁気ヘッドが搭載された面とは反対側の面）の略中心部に当接させるようにすることによって、磁気ディスク装置の動作時におけるヘッドスライダ３の記録媒体（図示せず）に対するロールまたはピッチ方向の不要な振動等にも柔軟性よく追従することができる。さらに、ボイスコイル５が穴部６ａを有するボイスコイルホルダ６に取り付けられ、ボイスコイル５を挟んで穴部６ａの反対側にバランサ７が固着されて構成されたボイスコイル部８をヘッド支持アームユニット４に固着し、アクチュエータサブユニット９を構成する。なお、ヘッド支持アームユニット４とボイスコイル部８は別部材として記述したが、何らこれに限るものではなく一体化された１つのユニットとしてもよい。
【００４４】
一方、略環状で略Ｚ字状に２段に折り曲げられた弾性手段である板ばね部１０の一端が半円環形状のばね固定部材１１を介して一対のピボット１２ａ、１２ｂと穴部１２ｃを有するピボット軸受１２に固着されている。さらに、板ばね部１０をヘッド支持アーム１の穴部１ｂに貫通させ、ピボット軸受１２の一対のピボット１２ａ、１２ｂをヘッド支持アーム１の上面に当接させて板ばね部１０の他端をヘッド支持アーム１の下面に固着している。そして、板ばね部１０と一対のピボット１２ａおよび１２ｂを介してヘッド支持アーム１を構成要素とするアクチュエータサブユニット９とピボット軸受１２が弾性手段である板ばね部１０によって弾性的に接続されている。さらに、ピボット軸受１２の一対のピボット１２ａ、１２ｂとヘッド支持アーム１の上面とのそれぞれの当接点Ｐ１、Ｐ２を支点としてアクチュエータサブユニット９を構成するヘッド支持アーム１のタブ部１ａ側を下方に押し下げるように板ばね部１０が作用するようになされて、アクチュエータアーム１３を構成している。したがって、磁気ディスク装置の動作時、ヘッド支持アームユニット４にジンバル機構２を介して取り付けられたヘッドスライダ３が記録媒体の表面に対して浮上しているときのヘッドスライダ３のロード荷重は、ピボット軸受１２の一対のピボット１２ａ、１２ｂのそれぞれの当接点Ｐ１、Ｐ２によるヘッド支持アームユニット４に対する板ばね部１０の変形による反力としての記録媒体表面側方向への圧縮応力によって生じることになり、ヘッドスライダ３にかかる記録媒体表面側方向の付勢力とその逆方向の浮揚力との関係によってヘッドスライダ３が浮上し、板ばね部１０を変形させて、ヘッドスライダ３、すなわち磁気ヘッドと記録媒体の表面との間に一定の空隙を保って磁気ディスク装置の記録再生が行われる。
【００４５】
さらに、一端側がピボット軸受１２の穴部１２ｃの内径よりも大きな外径を有するフランジ１４ａと、他端側がピボット軸受１２の穴部１２ｃの内径よりも小さな外径を有するねじ部１４ｂと、フランジ１４ａとねじ部１４ｂとの間にピボット軸受１２の穴部１２ｃと嵌合する外径を有する円筒部１４ｃからなる中空つば付き円筒形状の軸受部１４を、ピボット軸受１２の穴部１２ｃ、ばね固定部材１１の半円環形状の内側、板ばね部１０の円環状の内側およびボイスコイルホルダ６の穴部６ａに貫通させている。一方、フランジ１４ａとは反対側から円筒部１４ｃに嵌合する内径とボイスコイルホルダ６の穴部６ａを貫通する外径を有し、一方に略Ｚ字状の板ばね部１０がばね固定部材１１に当接している部分と略同じような形状を有する半円環形状の突出部１５ａを設けた中空のカラー１５を突出部１５ａが軸受部１４のフランジ１４ａ側となるようにして軸受部１４の円筒部１４ｃに嵌合させて挿入し、突出部１５ａの上面１５ｂがばね固定部材１１に固着された板ばね部１０の略環状の平面部分に当接するようにしている。さらに、カラー１５とナット１７の間に、図４に示すように、２箇所の当接部１６ａおよび１６ｂと軸受部１４の円筒部１４ｃまたはねじ部１４ｂに嵌合する穴部１６ｃを有する略Ｃ字状の回動規制当接部材１６を配設している。これらの部材により、ピボット軸受１２、ばね固定部材１１とそのばね固定部材１１に固着当接している板ばね部１０の平面部分に当接したカラー１５を回動規制当接部材１６とともに軸受部１４のフランジ１４ａとナット１７によって挟持して一体化された構成として、ヘッド支持装置１８を構成している。
【００４６】
なお、軸受部１４はベアリング（図示せず）を内蔵しており、軸受部１４内蔵のベアリングを介して基板３１に、例えばねじ３２によりねじ止めされた回動軸１９として、ヘッド支持装置１８は回動軸１９の周りに回動することができ、ボイスコイルモータによってヘッド支持装置１８は磁気記録媒体の半径方向に回動し、支持アーム１の一端の下面に設けられたヘッドスライダ３に搭載される磁気ヘッドを所定の位置へ移動させることができるように構成されている。
【００４７】
また、ヘッドスライダ３に搭載された磁気ヘッドに対する信号配線を装置本体の電気回路へ接続するために、回動規制当接部材１６の一部でかつヘッド支持装置を構成する他の構成部材に当接しない位置に、図４に示すように、ヘッド支持装置の回動軸１９の軸心と同方向に複数個の折り曲げ部１６ｄ、１６ｅおよび１６ｆを形成し、例えば、図５に示すように、信号配線にフレキシブル配線基板５１を用いて、これらの複数個の折り曲げ部１６ｄ、１６ｅおよび１６ｆで挟持するようにしてもよい。このような構成とすることによって、ヘッド支持装置の回動に伴う信号配線、すなわちフレキシブル配線基板５１の撓みによる反力は複数個の折り曲げ部１６ｄ、１６ｅおよび１６ｆで確実に遮断されることになり、その反力がアクチュエータサブユニット９のバランスやロード荷重に悪影響をおよぼすことがない構成とすることができる。
【００４８】
次に、ヘッド支持装置１８を構成するピボット軸受１２に設けられた一対のピボット１２ａ、１２ｂの位置について説明する。
【００４９】
図６および図７に示すように、ピボット１２ａとピボット１２ｂがヘッド支持アーム１の上面に当接するそれぞれの当接点Ｐ１と当接点Ｐ２を結ぶ線は、ヘッド支持装置１８の回動軸１９（図６、図７に図示せず）の軸心を通り、かつ、ヘッド支持装置１８の長手方向の中心線１８ａに垂直になるように形成されている。なお、当接点Ｐ１と当接点Ｐ２をヘッド支持装置１８の回動軸１９の軸心に関してお互いに対称的な位置にあるように配置して、当接点Ｐ１と当接点Ｐ２を結ぶ線の中点を回動軸１９の軸心に略一致させることが望ましい。このように構成することによって、ヘッド支持装置１８を構成するアクチュエータサブユニット９はピボット１２ａおよびピボット１２ｂの当接点Ｐ１と当接点Ｐ２を結ぶ線の周りに磁気記録媒体６１（図７に図示せず）の表面に垂直な方向に回動可能となり、板ばね部１０の弾性力によって、アクチュエータサブユニット９を構成するヘッド支持アーム１に搭載されたヘッドスライダ３が磁気記録媒体６１の表面側方向へ付勢されることになる。
【００５０】
さらに、ヘッド支持装置１８を構成するアクチュエータサブユニット９の重心位置を、アクチュエータサブユニット９を構成するヘッド支持アーム１の上面に当接するピボット軸受１２のそれぞれの当接点Ｐ１、Ｐ２を結ぶ線の中点に略一致させるようにバランサ７の質量（重量）を設定して、ボイスコイル部８を構成するボイスコイルホルダ６の一端にバランサ７を固着する。すなわち、ヘッド支持装置１８を構成したとき、ヘッド支持装置１８を構成するアクチュエータサブユニット９の重心位置は、ヘッド支持装置１８の回動軸１９の軸心に略一致するように構成する。なお、近似的には、ヘッド支持装置１８の重心位置を上述のように回動軸１９の軸心に略一致するようにしてもよく、アクチュエータサブユニット９の重心位置とヘッド支持装置１８の重心位置とのずれが実用上は問題にはならない程度のものである。また、バランサ７はボイスコイルホルダ６の一端に固着するように記述したが、ヘッド支持装置１８を構成するそれぞれの構成部品の質量（重量）配分によっては、ヘッド支持アームユニット４のヘッドスライダ３側に設けねばならない場合もある。
【００５１】
ヘッド支持装置１８を上述のように構成することにより、ヘッド支持装置１８を構成するヘッド支持アーム１を剛性の高い材料で形成することができ、したがって、外部からの大きな衝撃等に対する耐衝撃性が向上するとともに、ヘッド支持アーム１の共振周波数を高くすることができ、ヘッド支持装置１８を高速で回動および位置決めすることができ、磁気ディスク装置のアクセス速度を向上することが可能になる。また、弾性手段である板ばね部１０は、ヘッド支持アーム１として１つの部材になるように一体に形成されたものではなく、ヘッド支持アーム１とは独立した別個の部材として設けられているため、ヘッドスライダ３へのロード荷重を大きくし、柔軟性を高くし、さらに構造体の剛性を高くさせる、という相反する要求を、それぞれ別々の構成要素の作用として独立して実現することができ、ヘッド支持装置１８の設計が簡易になるとともに、その設計の自由度を飛躍的に広げることが可能になる。
【００５２】
次に、上述のヘッド支持装置における回動規制当接部材１６の作用について説明する。図８において、磁気記録媒体６１が基板８１に取り付けられたスピンドルモータ（図示せず）の回転中心軸８２に連結されて回転自在に配設されている。また、上述のヘッド支持装置１８が基板８１に配設された回動軸１９の周りに回動可能に設けられ、ヘッド支持装置１８の一方の先端部に搭載されたヘッドスライダ３を磁気記録媒体６１の半径方向に移動可能なように構成されている。さらに、基板８１にはヘッド支持装置１８の回動範囲を規制するための２個のクラッシュストップ８３ａ、８３ｂが固着されている。ボイスコイルモータが暴走したときや、過激な振動、衝撃等を受けてヘッド支持装置１８がロード方向、アンロード方向に過度に揺動しようとしたときに、ヘッド支持装置１８、磁気記録媒体６１、または磁気ディスク装置の他の部位に損傷を与えるようなことがないように、ヘッド支持装置１８の過度の揺動を強制的に停止させるために、２個のクラッシュストップ８３ａ、８３ｂはヘッド支持装置１８の他端側に突出した回動規制当接部材１６の当接部１６ａおよび当接部１６ｂを挟むように配置されている。
【００５３】
引き続き、ヘッド支持装置１８に配設された回動規制当接部材１６の当接部１６ａおよび当接部１６ｂとそれらに対応するそれぞれのクラッシュストップ８３ａ、８３ｂが当接した状態における回動規制当接部材１６の作用について説明する。
【００５４】
ヘッド支持装置１８がロード方向（磁気記録媒体６１の回転中心方向）に過度に揺動したとき、回動規制当接部材１６の当接部１６ａがクラッシュストップ８３ａに当接してヘッド支持装置１８のロード方向の回動を強制的に停止させる。このとき、ヘッド支持装置１８の一端に搭載されたヘッドスライダ３は磁気記録媒体６１上にあり、磁気記録媒体６１の回転によって、ヘッドスライダ３は磁気記録媒体６１から微小な隙間を有して浮上しようとする。一方、クラッシュストップ８３ａに当接した回動規制当接部材１６の当接部１６ａは、その当接力のために当接面には摩擦力が発生し、回動規制当接部材１６を磁気記録媒体６１表面に垂直な方向（スピンドルモータの回転中心軸８２の軸心方向）に移動させることはできないが、図３、図６に示すように、軸受部１４のフランジ１４ａとナット１７によって回動規制当接部材１６とともに挟持されたピボット軸受１２に板ばね部１０を介して保持されたアクチュエータサブユニット９は、ピボット軸受１２の一対のピボット１２ａ、１２ｂとの当接点Ｐ１および当接点Ｐ２を支点として磁気記録媒体６１の表面に垂直な方向に回動することができ（図６の側面図を参照）、磁気記録媒体６１の回転に伴う磁気記録媒体６１の表面の面振れが存在したとしても、アクチュエータサブユニット９の一端に設けられたヘッドスライダ３は磁気記録媒体６１から微小な隙間を有して浮上することができる。したがって、回動規制当接部材１６の当接部１６ａがクラッシュストップ８３ａに当接しても、磁気記録媒体６１が回転しているため、スライダ３は浮上することができ、図６に支持アーム１を破線で示したような状態になることはなく、磁気記録媒体６１とヘッドスライダ３は接触または衝突することがなく、磁気記録媒体６１とヘッドスライダ３に重大な損傷を与えるようなことがない。
【００５５】
ヘッド支持装置１８がアンロード方向（磁気記録媒体６１の外周方向）に過度に揺動したとき、回動規制当接部材１６の当接部１６ｂがクラッシュストップ８３ｂに当接してヘッド支持装置１８のアンロード方向の回動を強制的に停止させる。しかし、このときは、回動規制当接部材１６の当接部１６ｂがクラッシュストップ８３ｂに当接する前に、ヘッド支持装置１８を構成するヘッド支持アーム１に設けられたタブ部１ａが基板８１に固着されたランド部８４に沿って移動するため、ヘッド支持装置１８が磁気記録媒体６１からその半径方向に離間する寸前に磁気記録媒体６１の表面から離れる方向に移動し、磁気記録媒体６１の表面から離れた状態で回動規制当接部材１６の当接部１６ｂがクラッシュストップ８３ｂに当接することになり、磁気ディスク装置の構成部位に損傷を与えるようなことはない。
【００５６】
なお、上述の説明においては、磁気ディスク装置としてロード／アンロード方式（以下、Ｌ／ＵＬ方式と言う）について記述したが、コンタクト・スタート・ストップ方式（以下、ＣＳＳ方式と言う）に対しても適用できる。ＣＳＳ方式においては、磁気記録媒体６１の内周側における回動規制当接部材１６の当接部１６ａとクラッシュストップ８３ａとの当接に対しては、上述のＬ／ＵＬ方式における場合と同じであり、また、磁気記録媒体６１の外周側に対応したクラッシュストップ８３ｂに当接した回動規制当接部材１６の当接部１６ｂに関しても、上述のＬ／ＵＬ方式における磁気記録媒体６１の内周側と同じように、アクチュエータサブユニット９は磁気記録媒体６１の表面に垂直な方向に回動することができ、磁気記録媒体６１の回転に伴う磁気記録媒体６１の表面の面振れが存在したとしても、アクチュエータサブユニット９の一端に設けられたヘッドスライダ３は磁気記録媒体６１から微小な隙間を有して浮上することができ、図６に支持アーム１を破線で示したような状態になることはなく、磁気記録媒体６１とヘッドスライダ３は衝突することがなく、この場合も、磁気記録媒体６１とヘッドスライダ３に重大な損傷を与えるようなことがない。
【００５７】
なお、上記のヘッド支持装置の説明においては、２個のクラッシュストップ８３ａ、８３ｂが基板８１に固着されていることを述べた。しかし、後述するように、ヘッド支持装置の取付調整を行う際に、筐体でもある上シャーシに固着したクラッシュストップ８３ａにより、取付調整を行う必要があるので、ヘッド支持装置の取付調整を行うときに上シャーシに固定しておいて、取付調整が終ってから基板８１に固着することになる。
【００５８】
次に、本発明の実施の形態におけるヘッド支持装置の回動規制当接部材の取付位置を調整する方法を説明する。
【００５９】
図９〜図１１は本発明の実施の形態における回動規制当接部材の取付位置を調整する方法を説明するための図である。図９は回動規制当接部材の組立調整方法を説明するための平面図、図１０は回動規制当接部材の組立調整方法を説明するためのヘッド支持装置の回動軸近傍の部分側面断面図、図１１は調整治具の一例を示す斜視図である。なお、図９〜図１１において、前述した図１における構成要素と対応する要素には、同じ符号を付している。
【００６０】
図９および図１０において、ヘッド支持装置１８の軸受部１４側を、筐体の１つであり、基板に準じた位置決め部材である上シャーシ９１側になるようにして、軸受部１４に内蔵されたベアリング９２を介してヘッド支持装置１８が、上シャーシ９１にビス止め等の方法によって固着された回動軸１９に回動可能に取り付けられている。ヘッド支持装置１８の構成は、図１〜図８を用いて説明した構成と同じであり、ここでの詳細な説明は省略するが、ヘッド支持装置１８のアクチュエータサブユニット９を構成するヘッド支持アーム１には取付位置設定穴１ｄが設けられている。一方、上シャーシ９１には２個のクラッシュストップ８３ａ、８３ｂのうち少なくとも１個のクラッシュストップ８３ａが固着され、かつ、ヘッド支持装置１８の位置を設定するための位置決め基準穴９３が設けられている。上シャーシ９１に設けられた位置決め基準穴９３の直径はヘッド支持アーム１に設けられた取付位置設定穴１ｄの直径と同径であることが望ましいが、異なる径であってもよい。
【００６１】
また、図１０において、上シャーシ９１に設けられた位置決め基準穴９３とヘッド支持アーム１に設けられた取付位置設定穴１ｄを貫通させるように位置決め基準ピン９４を挿入して、上シャーシ９１に対するヘッド支持装置１８の位置を設定する。次に、上シャーシ９１の位置決め基準穴９３とヘッド支持アーム１の取付位置設定穴１ｄの両穴に基準ピン９４を貫通させる。この状態で、軸受部１４の円筒部１４ｃまたはねじ部１４ｂに嵌合されて軸受部１４の回動中心の周りに回動可能に配設された回動規制当接部材１６を回動させ、回動規制当接部材１６の当接部１６ａのクラッシュストップ８３ａ側とは反対側の側面をクラッシュストップ８３ａの円筒面に当接させる。そして、回動規制当接部材１６の当接部１６ａの側面とクラッシュストップ８３ａの円筒面が当接した状態で、ヘッド支持装置１８のナット１７を締付けて、ヘッド支持装置１８を一体化構成に組み立てる。すなわち、アクチュエータサブユニット９の支持アーム１に備わるヘッドスライダ３に搭載された磁気ヘッドの基板に対する位置を決めるために、上シャーシ９１の位置決め基準穴９３とヘッド支持アーム１の取付位置設定穴１ｄの２個の穴に基準ピン９４を貫通させる第１の工程と、回動規制当接部材１６の当接部１６ａをクラッシュストップ８３ａに当接させる第２の工程と、ナット１７を締付ける第３の工程とを経て取付位置の調整を行う。この取付位置調整方法によって、ヘッド支持アーム１に対して回動規制当接部材１６が所定の位置関係になるように容易に位置決め調整することができる。なお、図１１に取付位置調整用の治具を斜視図で示したように、剛性の高い基台１１１に基準ピン９４を植設し、上シャ−シ９１に回動軸１９を取り付けるためのビスの頭部との当接を逃げるための凹部１１２（穴部でもよい）、押圧部１１３等を設けた治具１１７を用いれば容易に取付位置の調整をすることが可能となる。
【００６２】
図１１において、押圧部１１３は、付勢ピン１１４、付勢ばね１１５、ストッパ１１６ａ、ストッパ１１６ｂで構成され、付勢ピン１１４を基台１１１および付勢ばね１１５に貫通させた後に、ストッパ１１６ａおよび１１６ｂを付勢ピン１１４の両端に圧入させている。そして、ストッパ１１６ａが回動規制当設部材１６の当接部１６ａに当接されることにより、付勢ばね１１５のばね力で当接部１６ａがクラッシュストップ８３ａに当接するような構成となっている。付勢ばね１１５のばね力は、当接部１６ａがクラッシュストップ８３ａに当接するときの付勢力が１ｇｆ（ｇｒａｍ  ｆｏｒｃｅ）になるように設定されている。このことにより、確実に当接部１６ａとクラッシュストップ８３ａとが当接される。
【００６３】
次に、上述の位置決め調整を行うときのヘッド支持アーム１と回動規制当接部材１６との所定の位置関係について説明する。回動規制当接部材１６の当接部１６ａがクラッシュストップ８３ａに当接したとき、ヘッド支持装置１８（アクチュエータサブユニット９）の支持アーム１に備わるヘッドスライダ３に搭載された磁気ヘッド（図示せず）が磁気記録媒体の記録可能領域近傍における磁気記録媒体の内周側（回転中心側）に対応した位置にあるように、上シャーシ９１の位置決め基準穴９３の位置が設定されている。したがって、回動規制当接部材１６の当接部１６ａがクラッシュストップ８３ａに当接したときに、磁気ヘッドを磁気記録媒体の記録可能領域近傍における磁気記録媒体の内周側に対応した位置にある関係になるように、上述したような治具を用いた調整方法によって調整設定されたヘッド支持装置１８はヘッド支持アーム１と回動規制当接部材１６との位置関係を所定の位置関係に調整されたものとなっている。
【００６４】
ヘッド支持アーム１と回動規制当接部材１６を所定の位置関係に調整されたヘッド支持装置１８を組立形成することによって、ヘッド支持装置１８を構成する各部材の部品精度のばらつきおよび組立における調整のばらつき等によって生じるヘッド支持アーム１と回動規制当接部材１６との位置関係に対する製造ばらつきを吸収することができる。したがって、回動規制当接部材１６の当接部１６ａがクラッシュストップ８３ａに当接したときのヘッド支持アーム１に搭載された磁気ヘッドの磁気記録媒体に対応する位置のばらつきを小さく抑えることができるため、磁気記録媒体の記録可能領域を拡大することが可能になり、磁気ディスク装置としての記録容量を増大することができる。
【００６５】
なお、上述の説明はＬ／ＵＬ方式についての説明であるが、ＣＳＳ方式についても適用することができる。ＣＳＳ方式においては、上述の第２の工程にて回動規制当接部材１６の当接部１６ｂにおける当接部１６ａの反対側の側面をクラッシュストップ８３ｂのクラッシュストップ８３ａ側の円筒面に当接させるという点と、回動規制当接部材１６の当接部１６ｂがクラッシュストップ８３ｂに当接したとき、ヘッド支持装置１８のヘッドスライダ３に搭載された磁気ヘッド（図示せず）が磁気記録媒体の記録可能領域近傍における磁気記録媒体の外周側（回転中心の反対側）に対応するように、上シャーシ９１の位置決め基準穴９３の位置が設定されているという点がＬ／ＵＬ方式と異なる点である。
【００６６】
以上、説明したように本発明の実施の形態のヘッド支持装置の構成により、ヘッド支持装置の設計の自由度を飛躍的に広げ、ヘッド支持装置を構成するヘッド支持アームを剛性の高い材料で形成して、外部からの大きな衝撃等に対する耐衝撃性を向上させるとともに、ヘッド支持装置に組み込まれたヘッドスライダに対するロード荷重を大きくすることができ、ディスク装置の動作中における外部からの振動または衝撃に対して高い耐衝撃性を有し、また、ヘッド支持アームの共振周波数を高くすることができ、高速で回動および位置決めすることができ、さらに、ディスク装置の動作中に、ボイスコイルモータが暴走したときや、過激な振動、衝撃等を受け、ヘッド支持装置がロード方向またはアンロード方向に過度に揺動して、クラッシュストップにヘッド支持装置に設けられた回動規制当接部材が当接してヘッド支持装置の過度の揺動を強制的に停止させたときに、アクチュエータサブユニットを構成するヘッド支持アームが、ピボット軸受の一対のピボットの当接点を支点として磁気記録媒体の表面に垂直な方向に回動することができ、磁気記録媒体の回転に伴う空気流によってヘッド支持アームに搭載されたヘッドスライダは浮上し、磁気記録媒体とヘッドスライダが接触または衝突することがなく、磁気記録媒体とヘッドスライダに重大な損傷を与えることがなく、耐衝撃性が強く、高速アクセスに適した信頼性の高いヘッド支持装置を実現することができる。したがって、このようなヘッド支持装置を備えることによって、高速化されたアクセス速度を有し、信頼性の高い優れたディスク装置を実現することが可能になる。
【００６７】
また、本発明の実施の形態におけるヘッド支持装置の組立調整方法により、ヘッド支持装置がクラッシュストップに当接したときの磁気記録媒体に対する磁気ヘッドの位置の製造ばらつきを抑えることができるため、磁気記録媒体の記録可能領域を増加させることができ、記録容量が向上したディスク装置を実現することができる。
【００６８】
また、上述の本発明の実施の形態の説明においては、磁気ディスク装置を例にとって説明したが、何らこれに限ることはなく、光磁気ディスク装置や光ディスク装置等の非接触型のディスク装置に適用してもよいものである。
【産業上の利用可能性】
【００６９】
本発明に係るヘッド支持装置とその組立調整方法により、外部からの強い衝撃に対する耐衝撃性を高め、信頼性を向上させることができるので、磁気ヘッドを用いた磁気記録再生装置、非接触型のディスク記録再生装置、例えば光磁気ディスク装置、光ディスク装置等に有用である。
【図面の簡単な説明】
【００７０】
【図１】本発明の実施の形態におけるヘッド支持装置の構成を示す分解斜視図
【図２】図１におけるヘッド支持装置のＡ部の分解斜視図
【図３】本発明の実施の形態におけるヘッド支持装置の回動軸近傍の部分側面図
【図４】本発明の実施の形態におけるヘッド支持装置を構成する回動規制当接部材の他の一例を示す斜視図
【図５】本発明の実施の形態のヘッド支持装置を構成する回動規制当接部材の他の一例における信号配線の保持方法を示す斜視図
【図６】本発明の実施の形態におけるヘッド支持装置の動作原理を説明するための側面図
【図７】本発明の実施の形態におけるヘッド支持装置の動作原理を説明するための主要部の平面図
【図８】本発明の実施の形態におけるディスク装置の主要部の平面図
【図９】回動規制当接部材の組立調整方法を説明するための平面図
【図１０】回動規制当接部材の組立調整方法を示すためのヘッド支持装置の回動軸近傍の部分側面断面図
【図１１】調整治具の一例を示す斜視図
【図１２】従来のディスク装置における主要部の構成を示す斜視図
【図１３】従来のディスク装置におけるヘッド支持装置の構成と作用を示す要部斜視図
【図１４】従来の自己バランス式ヘッド支持装置の主要部の概略構成を示す側面図
【符号の説明】
【００７１】
１，１２２，１４２    （ヘッド）支持アーム（サスペンション）
１ａ    タブ部
１ｂ，６ａ，１２ｃ，１６ｃ    穴部
１ｃ    ディンプル
１ｄ    取付位置設定穴
２    ジンバル機構
３，１２５，１４１    （ヘッド）スライダ
４    ヘッド支持アームユニット
５，１２８    ボイスコイル
６，１２４ａ    （ボイス）コイルホルダ（コイルアーム部）
７    バランサ
８    ボイスコイル部
９    アクチュエータサブユニット
１０，１２３，１４３    板ばね部
１１，１４４    ばね固定部材
１２，１４５    ピボット軸受
１２ａ，１２ｂ    ピボット
１３    アクチュエータアーム
１４，１２９    軸受部
１４ａ    フランジ
１４ｂ    ねじ部
１４ｃ    円筒部
１５    カラー
１５ａ    突出部
１５ｂ    上面
１６    回動規制当接部材
１６ａ，１６ｂ    当接部
１６ｄ，１６ｅ，１６ｆ    折り曲げ部
１７    ナット
１８，１２１    ヘッド支持装置
１８ａ    中心線
１９    回動軸
３１，８１    基板
３２    ねじ
５１    フレキシブル配線基板
６１，１２６，１４６    磁気記録媒体
８２    回転中心軸
８３ａ，８３ｂ，１３１ａ，１３１ｂ    クラッシュストップ
８４    ランド部
９１    上シャーシ
９２    ベアリング
９３    位置決め基準穴
９４    （位置決め）基準ピン
１１１    基台
１１２    凹部
１１３    押圧部
１１４    付勢ピン
１１５    付勢ばね
１１６ａ，１１６ｂ    ストッパ
１１７    治具
１２４    ベースアーム（キャリッジアーム）
１２７    スピンドルモータ
１３０    磁気ヘッド保持部
１３０ａ    テーパ部
１３２    切り欠き部  
１４５ａ，１４５ｂ    頂部
Ｐ１，Ｐ２，Ｐａ，Ｐｂ    当接点
【図１】
2005267715.tif 000003
【図２】
2005267715.tif 000004
【図３】
2005267715.tif 000005
【図４】
2005267715.tif 000006
【図５】
2005267715.tif 000007
【図６】
2005267715.tif 000008
【図７】
2005267715.tif 000009
【図８】
2005267715.tif 000010
【図９】
2005267715.tif 000011
【図１０】
2005267715.tif 000012
【図１１】
2005267715.tif 000013
【図１２】
2005267715.tif 000014
【図１３】
2005267715.tif 000015
【図１４】
2005267715.tif 000016